(57)【特許請求の範囲】
【請求項１】
補聴器のゲインを調整する補聴器調整装置であって、
前記ゲインの調整操作を入力する入力デバイスと、
ユーザによる前記補聴器の非装着状態での第１の明瞭度、前記ユーザによる前記補聴器のファーストフィット状態での第２の明瞭度、前記調整操作に応じた第１のゲインを用いた前記補聴器の微調整状態での第３の明瞭度をそれぞれ算出するプロセッサと、を備え、
前記プロセッサは、前記第３の明瞭度と前記第１の明瞭度との差分と前記第２の明瞭度と前記第１の明瞭度との差分との割合に基づいて、前記調整操作による前記補聴器の調整度合を出力デバイスに表示する、
補聴器調整装置。
【請求項２】
請求項１に記載の補聴器調整装置であって、
前記プロセッサは、前記割合に基づいて、前記補聴器の調整度合を段階的に前記出力デバイスに表示する、
補聴器調整装置。
【請求項３】
請求項２に記載の補聴器調整装置であって、
前記プロセッサは、
前記割合が第１の条件を満たす場合に、前記調整操作により明瞭度が低下した旨の注意情報を前記出力デバイスに表示し、
前記割合が前記第１の条件と異なる第２の条件を満たす場合に、前記調整操作により前記補聴器による補聴効果が維持できない旨の警告情報を前記出力デバイスに表示する、
補聴器調整装置。
【請求項４】
請求項２または３に記載の補聴器調整装置であって、更に、
前記プロセッサは、前記調整操作の前に処方式処理により第２のゲインを決定し、前記第２のゲインに応じて前記第２の明瞭度を算出する、
補聴器調整装置。
【請求項５】
請求項１に記載の補聴器調整装置であって、更に、
前記プロセッサは、前記第１の明瞭度及び前記第２の明瞭度の少なくとも一方と前記第３の明瞭度とに基づいて、前記補聴器のゲインの調整範囲を制限する、
補聴器調整装置。
【請求項６】
請求項１ないし５のうちいずれか１項に記載の補聴器調整装置であって、
前記プロセッサは、前記第２の明瞭度を周波数帯域毎に算出し、前記補聴器の調整を前記周波数帯域毎に補助する、
補聴器調整装置。
【請求項７】
請求項１に記載の補聴器調整装置であって、
前記プロセッサは、
前記第３の明瞭度を周波数帯域毎に算出し、
前記調整操作に応じた前記第１のゲインを用いることで第１の周波数帯域での前記第３の明瞭度が低下した場合、前記第１の周波数帯域以外の第２の周波数帯域での前記第３の明瞭度が上がるように、前記第２の周波数帯域での前記第１のゲインを制御する、
補聴器調整装置。
【請求項８】
請求項７に記載の補聴器調整装置であって、
前記第２の周波数帯域は、前記第１の周波数帯域と隣り合う周波数帯域を含む、
補聴器調整装置。
【請求項９】
請求項７に記載の補聴器調整装置であって、
前記プロセッサは、前記第２の周波数帯域を、各周波数帯域での前記第１のゲインを用いた前記第３の明瞭度と最大明瞭度との差分に基づいて決定する、
補聴器調整装置。
【請求項１０】
請求項１〜９のいずれか１項に記載の補聴器調整装置であって、
前記第１の明瞭度、前記第２の明瞭度、前記第３の明瞭度は、ＳＩＩ（Ｓｐｅｅｃｈ  Ｉｎｔｅｌｌｉｇｉｂｉｌｉｔｙ  Ｉｎｄｅｘ）である、
補聴器調整装置。
【請求項１１】
補聴器のゲインを含むパラメータを調整する補聴器調整装置における補聴器調整方法であって、
前記パラメータの調整操作の前に、ユーザによる前記補聴器の非装着状態での第１の明瞭度、前記ユーザによる前記補聴器のファーストフィット状態での第２の明瞭度をそれぞれ算出し、
前記パラメータの調整操作を入力し、
前記調整操作に応じた第１のゲインを用いて前記補聴器の微調整状態での第３の明瞭度を算出し、
前記第３の明瞭度と前記第１の明瞭度との差分と前記第２の明瞭度と前記第１の明瞭度との差分との割合に基づいて、前記調整操作による前記補聴器の調整度合を出力デバイスに表示する、
補聴器調整方法。
【請求項１２】
請求項１１に記載の補聴器調整方法をコンピュータに実行させるための補聴器調整プログラム。
【発明の詳細な説明】
【技術分野】
【０００１】
本開示は、補聴器調整装置、補聴器調整方法及び補聴器調整プログラムに関する。
【背景技術】
【０００２】
補聴器では、補聴器の被装着者（ユーザ）に合わせて聞こえやすいように、補聴器の調整（フィッティング）が行われる。補聴器の調整の一例として、補聴器調整システムが、複数のＳ／Ｎ比の下で明瞭度を測定し、健聴者との差を算出してゲインを設定することが知られている（特許文献１参照）。また、補聴器の調整は、聴力測定、ファーストフィット、微調整、の順に行われることが多い。
【先行技術文献】
【特許文献】
【０００３】
【特許文献１】国際公開第２０１３／１２８４１１号
【発明の概要】
【発明が解決しようとする課題】
【０００４】
従来の補聴器調整システムは、補聴器の不適切な調整操作を行うことにより、明瞭度が低下し、ユーザが補聴効果を十分に実感できないことがある。
【０００５】
本開示は、上記事情に鑑みてなされたものであり、補聴器の調整操作による明瞭度の低下を抑制できる補聴器調整装置、補聴器調整方法及び補聴器調整プログラムを提供する。
【課題を解決するための手段】
【０００６】
本開示の補聴器調整装置は、補聴器のゲインを調整する補聴器調整装置であって、前記ゲインの調整操作を入力する入力デバイスと、ユーザによる前記補聴器の非装着状態での第１の明瞭度、前記ユーザによる前記補聴器のファーストフィット状態での第２の明瞭度、前記調整操作に応じた第１のゲインを用いた前記補聴器の微調整状態での第３の明瞭度をそれぞれ算出するプロセッサと、を備え、前記プロセッサは、前記第３の明瞭度と前記第１の明瞭度との差分と前記第２の明瞭度と前記第１の明瞭度との差分との割合に基づいて、前記調整操作による前記補聴器の調整度合を出力デバイスに表示する。
【０００７】
本開示の補聴器調整方法は、補聴器のゲインを含むパラメータを調整する補聴器調整装置における補聴器調整方法であって、前記パラメータの調整操作の前に、ユーザによる前記補聴器の非装着状態での第１の明瞭度、前記ユーザによる前記補聴器のファーストフィット状態での第２の明瞭度をそれぞれ算出し、前記パラメータの調整操作を入力し、前記調整操作に応じた第１のゲインを用いて前記補聴器の微調整状態での第３の明瞭度を算出し、前記第３の明瞭度と前記第１の明瞭度との差分と前記第２の明瞭度と前記第１の明瞭度との差分との割合に基づいて、前記調整操作による前記補聴器の調整度合を出力デバイスに表示する。
【０００８】
本開示の補聴器調整プログラムは、上記補聴器調整方法をコンピュータに実行させるためのプログラムである。
【発明の効果】
【０００９】
本開示によれば、補聴器の調整操作による明瞭度の低下を抑制できる。
【図面の簡単な説明】
【００１０】
【図１】第１の実施形態における補聴器調整装置の構成例を示すブロック図
【図２】補聴器調整装置による補聴器の調整手順の概略を説明する模式図
【図３】帯域別の音声レベルの変化例を示すグラフ
【図４】帯域別のＳＩＩの変化例を示すグラフ
【図５】第１のガイダンス表示を行う際の対象領域の一例が設定されたグラフ
【図６】第２のガイダンス表示を行う際の対象領域の一例が設定されたグラフ
【図７】第３のガイダンス表示を行う際の対象領域の一例が設定されたグラフ
【図８】ディスプレイに表示されるＵＩ画面を示す模式図
【図９】ガイダンス表示に係る動作手順を示すフローチャート
【図１０】聴力測定の結果の一例を示すグラフ
【図１１】（Ａ）〜（Ｅ）は微調整時にディスプレイのＵＩ画面に表示されるガイダンス表示の遷移例を示す模式図
【図１２】帯域毎の音声レベルの変化例を示すグラフ
【図１３】帯域毎の明瞭度の変化例を示すグラフ
【図１４】明瞭度補償に係る動作手順の一例を示すフローチャート
【発明を実施するための形態】
【００１１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより特許請求の範囲に記載の主題を限定することは意図されていない。
【００１２】
（本開示の一形態を得るに至った経緯）
補聴器の調整には、例えば、処方式処理及び微調整が含まれる。処方式処理では、聴力測定の結果から、補聴器が音声出力する音声信号のゲインが自動的に設定される。微調整では、処方式処理の結果をユーザが改善したい場合に、入力デバイスを介して補聴器調整者によってゲインが調整される。
【００１３】
ゲインの調整時には、明瞭度が犠牲となり易い。特に補聴器を使い始めたばかりのユーザは、処方式処理により設定された補聴器の音を「うるさい」と感じる場合が多く、音量を下げる微調整がしばしば行われる。しかし、調整し過ぎることで却って明瞭度が低下し、補聴効果が実感できないことがしばしば発生する。
【００１４】
つまり、微調整が適切に実施されると、補聴器が出力する音量・音質等に対してユーザの満足度が高くなる。一方、微調整が適切に実施されないと（例えば微調整が過度に行われると）、補聴器が出力する音声信号の明瞭度が低下することがあり、補聴効果を十分に得られないことがある。また、微調整の精度は、補聴器調整者の力量や経験に左右される。
【００１５】
以下、補聴器の調整操作による明瞭度の低下を抑制できる補聴器調整装置、補聴器調整方法及び補聴器調整プログラムについて説明する。
【００１６】
（第１の実施形態）
［補聴器調整装置の構成］
図１は第１の実施形態における補聴器調整装置５の構成を示すブロック図である。補聴器調整装置５は、補聴器５０の調整を補助するものであり、プロセッサ１０と、ディスプレイ２０と、入力デバイス３０と、補聴器設定装置４０とを含む構成を有する。
【００１７】
プロセッサ１０は、例えば、ＭＰＵ（Micro Processing unit）、ＣＰＵ（Central Processing Unit）、又はＤＳＰ（Digital Signal Processor）を含む。不図示のメモリのメモリに保持されたプログラム（例えば補聴器調整プログラム）を実行することで、各種機能を実現する。
【００１８】
プロセッサ１０は、ゲイン制御機能１１、処方式処理機能１２、明瞭度算出機能１３及び補償調整量算出機能１４を有する。また、プロセッサ１０は、補聴器調整装置５内の各部を統括する。
【００１９】
プロセッサ１０は、処方式処理機能１２により、聴力測定の結果に基づき、処方式処理によって音声信号のゲイン（単にゲインともいう）を含むパラメータの初期設定値を理論的に算出する。処方式処理の一例として、ＮＡＬ−ＮＬ／ＮＬ２では、補聴器より出力される音の大きさ（ラウドネス）が健聴者を上回らないという制限の下で、音声の明瞭度を最大化させるようなゲインが算出される。
【００２０】
プロセッサ１０は、ゲイン制御機能１１により、処方式処理によって算出された初期設定値や微調整後の設定値に従い、補聴器５０に対し、周波数帯域（チャネル又は単に「帯域」ともいう）毎のゲインを設定する。
【００２１】
プロセッサ１０は、明瞭度算出機能１３により、初期設定や微調整後のゲインの設定に従って、周波数帯域毎の音声信号の明瞭度を算出する。算出された帯域毎の明瞭度は、ガイダンス表示としてディスプレイ２０に表示される。明瞭度の指標として、例えば、ＳＩＩ（Speech Intelligibility Index）が挙げられる。
【００２２】
プロセッサ１０は、補償調整量算出機能１４により、ある帯域ｉの明瞭度ＳＩＩｉを下げる場合、例えばハウリングを抑えるために３ＫＨｚ帯域の明瞭度ＳＩＩｉを下げる場合、その他の帯域の明瞭度ＳＩＩｉを上げるように補正し、全帯域の明瞭度を補償してもよい。
【００２３】
ディスプレイ２０は、例えばＬＣＤ（Crystal Liquid Display）を含む。ディスプレイ２０は、プロセッサ１０の制御により、各種表示を行う。ディスプレイ２０は、例えばゲインの微調整を行う際にガイダンス表示を行う。
【００２４】
入力デバイス３０は、聴力測定の結果から得られる聴力情報や微調整に係る調整操作を受け付ける。入力デバイス３０は、例えば、ディスプレイ２０と一体化されたタッチパネル、マウス、キーボード、を含む。
【００２５】
プロセッサ１０、ディスプレイ２０及び入力デバイス３０は、例えばＰＣ（Personal Computer）８で構成される。
【００２６】
補聴器設定装置４０は、ＰＣ８と補聴器５０とを接続し、これらの間のデータ転送を行うアダプタである。プロセッサ１０により設定された、帯域毎のゲインを含むパラメータを補聴器５０に送信する。これにより、補聴器５０は、補聴器設定装置４０からのパラメータを受信し、パラメータを設定する。
【００２７】
例えば、補聴器設定装置４０は、ＰＣ８側のＵＳＢ（Universal Serial Bus）ケーブルと補聴器５０側の専用ケーブルとを繋ぐ１つの機器でもよい。また、補聴器設定装置４０は、ＰＣ８側のＵＳＢケーブルが接続された機器と、補聴器５０側の専用ケーブルが接続された機器と、を有し、これらの機器間を無線（例えばBluetooth（登録商標））で接続してもよい。また、補聴器設定装置４０は、ＰＣ８側のＵＳＢケーブルが接続され、無線で補聴器５０と接続された機器でもよい。
【００２８】
尚、補聴器設定装置４０は、ＰＣ８と別体の装置としてではなく、ＰＣ８の一部の機能としてＰＣ８と一体化されてもよい。
【００２９】
［補聴器の調整手順］
図２は補聴器調整装置５による補聴器５０のゲインの調整手順の概略を説明する図である。補聴器の調整は、通常、聴力測定、ファーストフィット、微調整の順で行われる。
【００３０】
聴力測定では、例えば、防音室において被験者（ユーザ）が聞こえる周波数毎の純音レベルの下限値（聴力レベル）が測定される。
【００３１】
ファーストフィットでは、聴力測定の結果から、理論的に求まる処方式処理によって算出されるゲインの初期設定値を用いて、補聴器５０に対し、周波数帯域毎のゲインが設定される。ファーストフィットされた補聴器５０は、ユーザに装着され、ユーザにより補聴器５０を介した聞こえが確認される。ファーストフィットの段階では、ユーザは、補聴器５０が出力する音声信号の音量・音質等に対して改善要求がある場合が多く、この場合には音声信号のゲインの微調整が行われる。
【００３２】
微調整では、ファーストフィットされた補聴器５０の聞こえに対して、ユーザの快適性や音色の好みに応じて、補聴器５０が調整される。微調整は、入力デバイス３０を介した調整操作に応じて行われる。
【００３３】
［ＳＩＩの導出］
次に、ＳＩＩの導出例を説明する。
【００３４】
プロセッサ１０は、チャネル毎に、裸耳状態、ファーストフィット状態、微調整状態でのＳＩＩ（微調整中のＳＩＩを含む）を導出し、比較する。ファーストフィット状態は、ファーストフィットに係る処理がされ、微調整がされていない状態である。微調整状態は、更に微調整がされた状態である。尚、微調整状態は、微調整が終了した後の状態でなく、微調整の最中の状態でもよい。
【００３５】
裸耳状態は、ユーザに補聴器５０が装着されていない状態である。ファーストフィットの際には、ユーザに補聴器５０が装着されても装着されなくてもよい。微調整の際には、ユーザに補聴器５０が装着される。
【００３６】
ＳＩＩは、例えば（式１）で表される。
【数１】
0006731654.tif 000002
【００３７】
「Ｎ」はチャネル数である。「Ｉｉ」は、音声の聞こえに対する帯域毎の重要度を表す関数（band importance function）であり、固定値である。「Ａｉ」は、帯域毎のどれくらい聴こえるか（聴き易いか）を表す関数（band audibility function）であり、Ｓ／Ｎ比、聴力、音声レベル、等によって変化する。
【００３８】
プロセッサ１０は、各チャネルに対応する周波数の聴力レベルＴ´ｉから、equivalent internal noise spectrum level Ｘ´ｉを、（式２）に従って算出する。
Ｘ´ｉ ＝  Ｘｉ ＋Ｔ´ｉ  …（式２）
【００３９】
ここで、「Ｘｉ」は、reference internal noise spectrum level である。「Ｘｉ」の具体的な値は、参考非特許文献１を参照されたい。
【００４０】
(参考非特許文献１)
ANSI (1997). “ANSI S3.5-1997, American national standard methods for calculation of the speech intelligibility index”
【００４１】
続いて、プロセッサ１０は、各ユーザ状態(裸耳状態、ファーストフィット状態、微調整状態)におけるequivalent speech spectrum level Ｅ´ｉを算出する。Ｅ´ｉの算出において、裸耳状態では、参考非特許文献１に記載された通りに測定された音声スペクトルレベルを用いる。又は、参考非特許文献１に記載のstandard speech spectrum levelを用いても良い。ファーストフィット状態では、上記測定された音声スペクトルレベル又はstandard speech spectrum levelに、処方式処理によって決まるゲインを加えた値を用いる。同様に、微調整状態では、ファーストフィット状態での音声スペクトルレベル又はstandard speech spectrum levelに、微調整状態のゲインを加えた値を用いる。
【００４２】
続いて、プロセッサ１０は、変数Ｌｉ，Ｋｉを（式３），（式４）に従って算出する。
【００４３】
Ｌｉ ＝ １−（Ｅ´ｉ − Ｕｉ−１０）／１６０  …（式３）
ここで、「Ｕｉ」は、通常の音量でのstandard speech spectrum level である。「Ｕｉ」の具体的な数値は、参考非特許文献１を参照されたい。
【００４４】
Ｋｉ ＝ （Ｅ´ｉ − Ｄｉ ＋ １５）／３０  …（式４）
ここで、「Ｄｉ」は、上記Ｘ´ｉとequivalent masking spectrum level Ｚｉのうち、大きい方の値である。背景雑音やマスキングの影響が無視できる場合、Ｄｉ ＝ Ｘ´ｉとしてもよい。尚、プロセッサ１０は、Ｌｉ，Ｋｉのいずれについても、値０を下回る場合に値０とし、値１を上回る場合に値１に設定する。
【００４５】
続いて、プロセッサ１０は、Band audibility function Ａｉを（式５）に従って、算出する。
Ａｉ ＝ Ｌｉ・Ｋｉ  …（式５）
尚、「・」は乗算符号を示す。
【００４６】
プロセッサ１０は、上記Ａｉとband importance function Ｉｉとにより、帯域別のＳＩＩｉを、数式（６）に従って算出する。Ｉｉの具体的な値は、参考非特許文献１を参照されたい。
ＳＩＩｉ ＝ Ａｉ・Ｉｉ  …（式６）
【００４７】
尚、裸耳状態、ファーストフィット状態、及び微調整状態では、補聴器５０から出力される音声レベルが異なるので、異なる音声レベルでの明瞭度ＳＩＩｉが導出される。
【００４８】
図３は、帯域別の音声レベル（ＳＰＬ：Sound Pressure Level）の変化を示すグラフである。このグラフでは、２５０Ｈｚ〜８ＫＨｚの範囲で、８チャネルの音声レベル（音声信号の信号レベル）のデータが示される。グラフｏ１，ｏ２，ｏ３は、それぞれ裸耳状態、ファーストフィット状態、微調整状態での音声レベルを示す。
【００４９】
図３では、裸耳状態での音声レベルは、グラフｏ１に示すように、測定帯域（ここでは８チャネル）全体に亘って低い。また、ファーストフィット状態での音声レベルは、グラフｏ２に示すように、３ｋＨｚ帯域付近で高くなっている。微調整状態での音声レベルは、グラフｏ３に示すように、ファーストフィット状態の音声レベルに対して微調整されている。
【００５０】
図４は、帯域別のＳＩＩの変化例を示すグラフである。このグラフでは、２５０Ｈｚ〜８ＫＨｚの範囲で、８チャネルのＳＩＩｉのデータが示される。グラフｍ１，ｍ２，ｍ３は、それぞれ裸耳状態、ファーストフィット状態、微調整状態での音声レベルにおけるＳＩＩｉを示す。
【００５１】
図４では、裸耳状態でのＳＩＩｉは、グラフｍ１に示すように、１ｋＨｚ以上の帯域で、他のユーザ状態（ファーストフィット状態、微調整状態）と比較して全体的に低くなっている。ファーストフィット状態でのＳＩＩｉは、グラフｍ２に示すように、５００Ｈｚ以上の帯域で、他のユーザ状態（裸耳状態、微調整状態）と比較して全体的に高い。微調整状態での明瞭度ＳＩＩｉは、グラフｍ３に示すように、１ｋＨｚ以上の帯域で、ファーストフィット状態の明瞭度ＳＩＩｉに対して抑えられている。
【００５２】
尚、図３及び図４に示した帯域は一例であり、他の帯域が用いられてもよい。帯域の分類方法は、例えば、補聴器５０の機種に依存してもよい。
【００５３】
［ガイダンス表示］
次に、ガイダンス表示について説明する。
【００５４】
本実施形態では、微調整状態での明瞭度ＳＩＩｉが、ユーザにより補聴効果を実感できないと想定される程に小さくなった場合、補聴器調整装置５は、ガイダンス表示として注意や警告を出力する。
【００５５】
言い換えると、プロセッサ１０は、所定基準以上のＳＩＩの低下が起きる場合、注意や警告等の警告情報を提示する。これにより、補聴器調整装置５は、補聴効果を維持した微調整を実現できる。
【００５６】
ガイダンス表示として、例えば、第１のガイダンス表示〜第３のガイダンス表示が挙げられる。ガイダンス表示は、フィッティング操作者によって確認され、この確認以降の微調整操作に有効に活用される。
【００５７】
各ガイダンス表示では、例えば、５００Ｈｚ，１ｋＨｚ，２ｋＨｚ，４ｋＨｚの４帯域でガイダンスが示される。この４帯域は、ユーザの聞こえに対して影響の大きい帯域である。尚、この４帯域以外の帯域でガイダンス表示されてもよいし、帯域数が４以外であってもよい。
【００５８】
第１のガイダンス表示では、プロセッサ１０は、裸耳状態でのＳＩＩＵ及びファーストフィット状態でのＳＩＩＦの差分ΔＳＩＩＦ、並びに、裸耳状態でのＳＩＩＵ及び微調整状態での明瞭度ＳＩＩＡの差分ΔＳＩＩＡ、に基づいて、ガイダンスを表示する。
【００５９】
ΔＳＩＩＦは、裸耳状態に対してファーストフィットによりどの程度明瞭度が改善されたかを示す。ΔＳＩＩＡは、裸耳状態に対して微調整によりどの程度明瞭度が改善されたかを示す。よって、ΔＳＩＩＦ＝０、ΔＳＩＩＡ＝０の場合、補聴器５０による補聴効果が無いことを示す。
【００６０】
図５は、第１のガイダンス表示が行われる対象領域を示すグラフである。図５では、縦軸はΔＳＩＩＡであり、横軸はΔＳＩＩＦであり、対象領域が２次元で示されている。
【００６１】
１／３・ΔＳＩＩＦ ≦ ΔＳＩＩA  ＜ ２／３・ΔＳＩＩＦ である場合、明瞭度が低下したとして、プロセッサ１０はディスプレイ２０を介して注意を発する（図５の淡いドット表示の領域を参照）。また、ΔＳＩＩA  ＜ １／３・ΔＳＩＩＦ である場合、明瞭度が著しく低下し、補聴効果を維持できないとして、プロセッサ１０は、ディスプレイ２０を介して警告を発する（図５の濃いドット表示の領域を参照）。尚、「・」は、乗算符号を示す。
【００６２】
図５に示す補聴器調整装置５によれば、ファーストフィット状態でのＳＩＩの改善量と微調整状態でのＳＩＩの改善量との比較を基に、ガイダンス表示できる。例えば、補聴器調整装置５は、微調整状態での明瞭度の改善の効果がファーストフィット状態より所定基準以上低下した場合には、注意表示や警告表示を実施できる。
【００６３】
図６は、第２のガイダンス表示が行われる対象領域を示すグラフである。図６では、図５と同様に、縦軸はΔＳＩＩＡであり、横軸はΔＳＩＩＦであり、対象領域が２次元で示されている。
【００６４】
第２のガイダンス表示では、ファーストフィット状態でのＳＩＩＦ及び微調整状態での明瞭度ＳＩＩＡに基づいて、ガイダンスを表示する。
【００６５】
ΔＳＩＩＦ  ≧  ０．１２の場合、１／３・ΔＳＩＩＦ ≦ ΔＳＩＩA  ＜ ２／３・ΔＳＩＩＦ であると、プロセッサ１０は、ディスプレイ２０を介して注意を発する。また、ΔＳＩＩA  ＜ １／３・ΔＳＩＩＦであると、プロセッサ１０は、ディスプレイ２０を介して警告を発する。
【００６６】
０．０８ ≦ ΔＳＩＩＦ  ＜ ０．１２の場合、ΔＳＩＩＦ − ０．０８ ≦ ΔＳＩＩA  ＜ ΔＳＩＩＦ− ０．０４であると、プロセッサ１０は、ディスプレイ２０を介して注意を発する。また、ΔＳＩＩA  ＜ ΔＳＩＩＦ − ０．０８であると、プロセッサ１０は、ディスプレイ２０を介して警告を発する。
【００６７】
また、ΔＳＩＩＦ  ＜ ０．０８の場合、０ ≦ ΔＳＩＩA  ＜ １／２・ΔＳＩＩＦであると、プロセッサ１０は、ディスプレイ２０を介して注意を発する。ΔＳＩＩA  ＜ ０であると、プロセッサ１０は、ディスプレイ２０を介して警告を発する。
【００６８】
例えば、ファーストフィット状態でのΔＳＩＩＦが値０．１２であり比較的良好であったにも関わらず、微調整状態でのΔＳＩＩＡが値０．０８未満に低下した場合、補聴器調整装置５は、注意を発する。また、更なる微調整に係る微調整状態でのΔＳＩＩＡが値０．０４未満に低下した場合、補聴器調整装置５は、警告を発する。
【００６９】
このように、図６に示した補聴器調整装置５は、注意となる対象領域（注意領域）を、第１のガイダンス表示に係る注意領域よりも広く設定することで、微調整中に、直ぐに警告を発することを抑制できる。特に、ΔＳＩＩＦ＜０．０８の範囲において、突然の警告表示となり、フィティング操作者に対して不意打ちとなることを抑制できる。つまり、補聴器調整装置５は、ΔＳＩＩＦが比較的低い（例えば値０．０８以下）であっても、注意喚起から警告が行われるように、段階的にガイダンス表示できる。
【００７０】
図７は、第３のガイダンス表示が行われる対象領域を示すグラフである。第３のガイダンス表示では、ファーストフィット状態でのＳＩＩＦと、微調整状態でのＳＩＩＡとを用い、裸耳状態での明瞭度ＳＩＩＵとの差分を用いることなく、対象領域が設定される。図７では、縦軸はＳＩＩＡであり、横軸はＳＩＩＦであり、対象領域が２次元で示されている。
【００７１】
１／２・ＳＩＩＦ≦ ＳＩＩA  ＜ ３／４・ＳＩＩＦであると、プロセッサ１０は、ディスプレイ２０を介して注意を発する。また、ＳＩＩＡ＜ １／２・ＳＩＩＦであると、プロセッサ１０は、ディスプレイ２０を介して警告を発する。
【００７２】
このように、第３のガイダンス表示によれば、補聴器調整装置５は、ファーストフィット状態でのＳＩＩと微調整状態でのＳＩＩとの比較を基に、ガイダンス表示できる。つまり、ファーストフィット状態を基準とした微調整状態でのＳＩＩの改善量を視覚的に確認できる。
【００７３】
図８は、ディスプレイ２０に表示されるＵＩ画面２５を示す模式図である。
【００７４】
ＵＩ画面２５には、周波数帯域毎の音声レベルを示すグラフｇｄｈ、及び周波数帯域毎の音声レベルを可変するスライダ部ｓｄｂを含む。スライダ部ｓｄｂは、入力デバイス３０の一例である。
【００７５】
グラフｇｄｈには、帯域２５０Ｈｚ〜８ｋＨｚのうち８つの周波数帯域における、ファーストフィット状態の音声レベル及び微調整状態での音圧レベルが示されている。
【００７６】
例えば、入力した音声レベルが４０ｄＢである場合におけるファーストフィット状態での音圧レベルを示すグラフｇｄ２と、微調整状態での音圧レベルを示すグラフｇｄ１と、が示される。
【００７７】
また、入力した音声レベルが６０ｄＢである場合におけるファーストフィット状態での音圧レベルを示すグラフｇｄ４と、微調整状態での音圧レベルを示すグラフｇｄ３と、が示される。
【００７８】
また、入力した音声レベルが９０ｄＢである場合におけるファーストフィット状態での音圧レベルを示すグラフｇｄ６と、微調整状態での音圧レベルを示すグラフｇｄ５と、が示される。
【００７９】
ＵＩ画面２５には、グラフｇｄｈと重なるように、周波数帯域７５０Ｈｚ〜３ｋＨｚにおいて注意を表す色分け表示（例えば、背景色が黄色（図中、淡いドット表示））がオーバーレイ表示される。尚、色分け表示とともに、又は色分け表示の代わりに、注意に係る文字情報（例えば「注意」の文字）が表示されてもよい。
【００８０】
また、ＵＩ画面２５には、グラフｇｄｈと重なるように、周波数帯域３ｋＨｚ〜５ｋＨｚにおいて警告を表す色分け表示（例えば、背景色が赤色（図中、濃いドット表示））がオーバーレイ表示される。尚、色分け表示とともに、又は色分け表示の代わりに、警告に係る文字情報（例えば「警告」の文字）が表示されてもよい。
【００８１】
スライダ部ｓｄｂは、帯域２５０Ｈｚ〜８ｋＨｚのうち８つの周波数帯域における音声レベルを調整するためのスライダｓｒ１〜ｓｒ８、及び全帯域の音声レベルを一括して調整するためのスライダｓｒ９を含む。
【００８２】
ユーザがスライダｓｒ１〜ｓｒ８を摺動することで、プロセッサ１０は、各周波数帯域におけるゲインを変更する。これにより、各周波数帯域の音声レベルが変更される。また、ユーザがスライダｓｒ９を摺動することで、プロセッサ１０は、全帯域のゲインを一括で変更する。これにより音声レベルが一括に変更される。
【００８３】
尚、音声レベルの調整は、スライダ部ｓｄｂの代わりにボタンｂｔにより行われてもよい。ボタンｂｔは、スライダと同様に、各周波数帯域で音声レベルの調整を可能にし、全帯域の音声レベルを一括して調整も可能である。
【００８４】
図９は、補聴器調整装置５によるガイダンス表示に係る動作手順を示すフローチャートである。
【００８５】
プロセッサ１０は、例えば入力デバイス３０により受け付けた、聴力情報（聴力測定の結果）を入力する（Ｓ１）。
【００８６】
図１０は聴力測定の結果、周波数帯域毎の聴力レベルの変化を示すグラフである。ここでは、１２５Ｈｚ〜８ｋＨｚの範囲内の８つの周波数帯域において、聴力レベルが測定されている。図１０では、例えば人の会話に用いられる、２５０Ｈｚ〜２ｋＨｚの帯域において、聴力レベルが高くなっている。
【００８７】
プロセッサ１０は、聴力測定の結果から、裸耳状態でのＳＩＩＵを算出する（Ｓ２）。裸耳状態でのＳＩＩＵは、例えば、前述した（式１）に従って算出される。尚、裸耳状態でのＳＩＩＵ算出は、ガイダンス表示までに行われればよく、つまり後述するＳ９の前までに行われればよい。
【００８８】
プロセッサ１０は、処方式処理によって周波数帯域毎のゲインを算出する（Ｓ３）。
【００８９】
プロセッサ１０は、処方式処理によって算出されたゲインを、補聴器設定装置４０を介して補聴器５０に設定する（Ｓ４）。
【００９０】
プロセッサ１０は、処方式処理によるゲインが設定されたファーストフィット状態での明瞭度ＳＩＩＦを算出する（Ｓ５）。
【００９１】
ファーストフィット状態でのパラメータが補聴器５０に設定されると、補聴器５０を装着した被装着者（ユーザ）に対し、音量・音質等が適正になるように、微調整操作を行う。微調整操作では、例えば、補聴器調整者は、ディスプレイ２０に表示されたＵＩ画面２５上で、スライダ部ｓｄｂのスライダｓｒ１〜ｓｒ９を動かして、ゲインを調整する。
【００９２】
プロセッサ１０は、入力デバイス３０を介した補聴器調整者の微調整操作によるゲインの調整値を入力する（Ｓ６）。
【００９３】
プロセッサ１０は、入力されたゲインの調整値を、補聴器設定装置４０を介して、補聴器５０に設定する（Ｓ７）。
【００９４】
プロセッサ１０は、微調整状態での明瞭度ＳＩＩＡを算出する（Ｓ８）。
【００９５】
プロセッサ１０は、第１のガイダンス表示（図５参照）、第２のガイダンス表示（図６参照）又は第３のガイダンス表示（図７参照）に従い、音声レベルのグラフｇｄｈと共に「注意」又は「警告」を伴うガイダンス表示を行うか否かを決定する（Ｓ９）。
【００９６】
プロセッサ１０は、ガイダンス表示を行うことを決定した場合、ディスプレイ２０にガイダンス表示（図８参照）を行う（Ｓ１０）。
【００９７】
この後、プロセッサ１０は、微調整が完了したか否かを判別する（Ｓ１１）。微調整は、例えば、入力デバイス３０が補聴器調整者又はユーザから所定の操作を受け付けた場合、又は、タイマにより直前の微調整操作の受け付けから所定時間経過した場合、に完了する。
【００９８】
微調整が完了していない場合、プロセッサ１０は、Ｓ６の処理に戻る。つまり、微調整を反復する。一方、微調整が完了した場合、プロセッサ１０は本動作を終了する。
【００９９】
補聴器調整装置５は、ガイダンス表示に係る動作により、補聴器調整者による誤操作や過度な操作による明瞭度低下を伴うような調整操作を抑制できる。
【０１００】
次に、微調整時のガイダンス表示の遷移について説明する。
図１１（Ａ）〜（Ｅ）は、微調整時にディスプレイ２０のＵＩ画面２５に表示されるガイダンス表示の遷移の一例を示す模式図である。
【０１０１】
図１１（Ａ）〜（Ｅ）に示すガイダンス表示の遷移では、ファーストフィット状態での音声レベルから、全帯域のスライダｓｒ９を用いて、音声レベルを徐々に下げる場合が示される。図１１（Ａ）から図１１（Ｅ）へ移行するに従い、音声レベルが小さくなっている。
【０１０２】
図１１（Ａ）には、ファーストフィット状態での周波数帯域毎の音声レベルを表すグラフが示される。図１１（Ｂ）には、ファーストフィット状態から音声レベルが７ｄＢ下がった場合における周波数帯域毎の音声レベルを表すグラフが示される。図１１（Ｂ）の段階では、４ｋＨｚ帯域に、オーバーレイ表示で注意を表す色分け表示が行われる。また、「注意」の文字の吹き出しが表示されてもよい。
【０１０３】
図１１（Ｃ）には、ファーストフィット状態から音声レベルが１１ｄＢ下がった場合における周波数帯域毎の音声レベルを表すグラフが示される。図１１（Ｃ）の段階では、ガイダンス対象となる全帯域（２５０Ｈｚ〜４ｋＨｚ）に、オーバーレイ表示で注意を表す色分け表示が行われる。また、「注意」の文字の吹き出しが表示されてもよい。
【０１０４】
図１１（Ｄ）には、ファーストフィット状態から音声レベルが１３ｄＢ下がった場合における周波数帯域毎の音声レベルを表すグラフが示される。図１１（Ｄ）の段階では、４ｋＨｚ帯域に、オーバーレイ表示で警告を表す色分け表示が行われる。また、「警告」の文字の吹き出しが表示されてもよい。
【０１０５】
図１１（Ｅ）には、ファーストフィット状態から音声レベルが１７ｄＢ下がった場合における周波数帯域毎の音声レベルを表すグラフが示される。図１１（Ｅ）の段階では、ガイダンス対象となる全帯域（２５０Ｈｚ〜４ｋＨｚ）に、オーバーレイ表示で警告を表す色分け表示が行われる。
【０１０６】
このように、補聴器調整者は、ガイダンス表示を見ながら、スライダ部ｓｄｂを介して微調整操作することで、補聴効果が維持できなくなるような明瞭度の低下を抑制できる。
【０１０７】
［明瞭度の補償］
次に、明瞭度の補償について説明する。
【０１０８】
本実施形態では、ある帯域の明瞭度ＳＩＩｉが低下した場合、補聴器調整装置５は、他の帯域のゲインを上げることで、全帯域での明瞭度又は音声レベルが略一定となるように補償してもよい。
【０１０９】
明瞭度補償では、プロセッサ１０は、ある帯域の明瞭度ＳＩＩｉが下がる場合、又は下げざるを得ない場合、全帯域のＳＩＩの変化を小さくするため、他の帯域のＳＩＩｉを上げるように、各帯域のゲインを調整する。
【０１１０】
ある帯域の明瞭度ＳＩＩｉを下げる一例として、ハウリング対策を行う場合、３ｋＨｚ帯域のゲインを下げることで、３ｋＨｚ帯域のＳＩＩｉが低下することが挙げられる。所定帯域（例えば３ｋＨｚ）のゲインの低下は、例えば入力デバイス３０による操作に応じて行われてもよい。また、プロセッサ１０が、ハウリングが発生している帯域及び音声レベルを検出し、ハウリングを抑制可能なゲインに低下させてもよい。
【０１１１】
尚、微調整操作の前に行われる処方式処理では、音声信号におけるハウリングの発生は通常考慮されていない。ハウリングの発生は、ユーザが補聴器５０を装着し、微調整操作時に補聴器５０が出力する音声を聞いた際に発覚することが多い。
【０１１２】
図１２は、帯域毎の音声レベルの変化を示すグラフである。図１２では、縦軸は音声レベルを表し、横軸は周波数を表す。グラフ中、領域ａｒｅは、各周波数帯域におけるＳＩＩの可変範囲（ＳＩＩの最大値及び最小値の間の範囲）を示す。
【０１１３】
図１３は、帯域毎のＳＩＩｉの変化を示すグラフである。図１３は、縦軸はＳＩＩを表し、横軸は周波数を表す。
【０１１４】
ハウリングを抑えるために、図１２に示す音声レベルを表すグラフｓｇに対し、プロセッサ１０は、矢印ｙ１に示すように、３ｋＨｚ帯域の音声レベルを下げるとする、つまり３ｋＨｚ帯域のゲインを下げるとする。この場合、図１３に示すように、３ｋＨｚ帯域のＳＩＩｉが矢印ｚ１に示すように低下する。３ｋＨｚ帯域のＳＩＩｉが低下しても、各周波数帯域を総合したＳＩＩの変化を小さくするために、以下の２通りの補償方法が検討される。ここでは、２５０Ｈｚ〜４ｋＨｚの帯域のＳＩＩの総和がハウリング対策の前後で略一定となるようにする。
【０１１５】
第１の補償方法では、プロセッサ１０は、ゲインを下げた帯域（ここでは、３ｋＨｚ帯域）の周辺帯域（ここでは隣接する帯域、２ｋＨｚ帯域と４ｋＨｚ帯域）のゲインを上げて、音声レベルを矢印ｙ２，ｙ３に示すように上げる。この場合、ＳＩＩは、２ｋＨｚ帯域で０．１５程度となり、４ｋＨｚ帯域で０．１程度となる。
【０１１６】
これにより、３ｋＨｚ帯域のＳＩＩが矢印ｚ１に示すように下がっても、隣接する帯域のＳＩＩが矢印ｚ２，ｚ３に示すように上昇する。よって、補聴器調整装置５は、グラフｍｇに示すように、３ｋＨｚ帯域を含む全補償帯域（例えば２５０Ｈｚ〜４ｋＨｚの帯域）でのＳＩＩの低下を抑制できる。尚、補償帯域を全帯域（例えば２５０Ｈｚ〜８ｋＨｚ）としてもよい。
【０１１７】
第２の補償方法では、プロセッサ１０は、現在設定されているゲインから、周波数帯域における領域ａｒｅの上限値Ｕ１までの距離が長い（マージンが大きい）帯域（ここでは、１ｋＨｚ帯域）のゲインを、矢印ｙ４に示すように上げる。この場合、１ｋＨｚ帯域のＳＩＩは、０．１５程度となる。
【０１１８】
これにより、３ｋＨｚ帯域のＳＩＩが矢印ｚ１に示すように下がっても、マージンの大きい帯域のＳＩＩが矢印ｚ４に示すように上昇する。よって、補聴器調整装置５は、グラフｍｇに示すように、３ｋＨｚ帯域を含む全補償帯域でのＳＩＩの低下を抑制できる。尚、補償帯域を全帯域（例えば２５０Ｈｚ〜８ｋＨｚ）としてもよい。
【０１１９】
図１４は、明瞭度補償に係る動作手順を示すフローチャートである。
【０１２０】
プロセッサ１０は、ガイダンス表示の場合と同様、例えば入力デバイス３０を介して、聴力測定の結果を入力する（Ｓ２１）。
【０１２１】
プロセッサ１０は、処方式処理によって周波数帯域毎のゲインを算出する（Ｓ２２）。
【０１２２】
プロセッサ１０は、Ｓ２２で算出されたゲインを、補聴器設定装置４０を介して補聴器５０に設定する（Ｓ２３）。
【０１２３】
プロセッサ１０は、入力デバイス３０を介した補聴器調整者又はユーザの調整操作によるゲインの調整値を入力する（Ｓ２４）。ここでの調整操作による入力は、例えば微調整操作による入力やハウリング対策として特定の帯域のゲインを下げる入力を含む。
【０１２４】
プロセッサ１０は、微調整状態での明瞭度ＳＩＩＡを算出する（Ｓ２５）。
【０１２５】
プロセッサ１０は、微調整状態での明瞭度ＳＩＩＡを基に、例えば第１の補償方法又は第２の補償方法により補償対象の周波数帯域を決定し、補償するゲインの量（補償調整量）を算出する（Ｓ２６）。
【０１２６】
プロセッサ１０は、決定された周波数帯域に対し、算出されたゲインを、補聴器設定装置４０を介して補聴器５０に設定する（Ｓ２７）。
【０１２７】
この後、プロセッサ１０は、明瞭度補償の調整が完了したか否かを判別する（Ｓ２８）。微調整は、例えば、入力デバイス３０が補聴器調整者又はユーザから所定の操作を受け付けた場合、又は、タイマにより直前の微調整操作の受け付けから所定時間経過した場合、に完了する。
【０１２８】
微調整が完了していない場合、プロセッサ１０は、Ｓ２４の処理に戻る。つまり、微調整が反復される。一方、微調整が完了した場合、プロセッサ１０は本動作を終了する。
【０１２９】
補聴器調整装置５は、明瞭度補償に係る動作により、微調整操作により任意の周波数帯域の明瞭度が下がっても、他の周波数帯域の明瞭度を上げることで、全帯域や補償帯域での明瞭度を維持できる。
【０１３０】
［効果等］
このように、補聴器調整装置５が補聴器５０のゲインを含むパラメータを調整する際、スライダ部ｓｄｂは、ユーザによるゲインの調整操作を入力する。プロセッサ１０は、ユーザによる補聴器５０の装着状態又は非装着状態での明瞭度を算出可能である。プロセッサ１０は、調整操作に応じた第１のゲインを用いて第１の明瞭度を算出し、調整操作の前に第２の明瞭度を算出する。プロセッサ１０は、第１の明瞭度及び第２の明瞭度に基づいて補聴器５０の調整を補助する。
【０１３１】
補聴器５０の装着状態は、例えばファーストフィット状態又は微調整状態を含む。補聴器５０の非装着状態は、例えば裸耳状態を含む。調整操作は、例えば微調整操作である。第１の明瞭度は、例えば微調整状態でのＳＩＩＡである。第２の明瞭度は、ファーストフィット状態でのＳＩＩＦ又は裸耳状態でのＳＩＩＵである。
【０１３２】
これにより、補聴器調整装置５は、補聴器５０の調整操作による明瞭度の低下を抑制でき、補聴効果を維持した調整が可能である。
【０１３３】
また、ディスプレイ２０は、プロセッサ１０の制御により、第１の明瞭度及び第２の明瞭度に基づいて、補聴器５０の調整を抑制するための警告情報を表示してもよい。
【０１３４】
ディスプレイ２０は、出力デバイスの一例である。警告情報の表示は、警告情報の出力の一例である。警告情報の表示は、例えば、注意に係る色分け表示や文字の表示、警告に係る色分け表示や文字の表示、を含む。
【０１３５】
これにより、ユーザは、警告情報に従って補聴器５０を調整でき、過度な調整を抑制でき、好適な調整操作が簡便になる。
【０１３６】
また、ディスプレイ２０は、警告情報として注意と警告を段階的に表示してもよい。
【０１３７】
これにより、ユーザは、段階的に出力される警告情報に従って、微調整でき、操作性が向上する。また、不意に（例えば注意が発せられることなく）警告が発せられることを抑制でき、ユーザは、余裕を持って好適な調整操作をできる。
【０１３８】
また、プロセッサ１０は、調整操作の前に処方式処理により第２のゲインを決定し、前記第２のゲインに応じて前記第２の明瞭度を算出してもよい。尚、第２のゲインは、例えばファーストフィット状態でのゲインである。第２の明瞭度は、例えばファーストフィット状態でのＳＩＩＦである。
【０１３９】
これにより、補聴器調整装置５は、ファーストフィット状態での明瞭度と微調整状態での明瞭度との比較を基に、ガイダンス表示できる。つまり、ファーストフィット状態を基準とした微調整状態でのＳＩＩの改善量を視覚的に確認できる。
【０１４０】
また、プロセッサ１０は、補聴器５０の非装着状態での第３の明瞭度を算出し、第２の明瞭度と第３の明瞭度との差分、及び第１の明瞭度と第３の明瞭度との差分に応じて、前記警告情報を表示してもよい。
【０１４１】
第３の明瞭度は、例えば裸耳状態での明瞭度ＳＩＩＵである。第２の明瞭度と第３の明瞭度との差分は、例えばΔＳＩＩＦである。第１の明瞭度と第３の明瞭度との差分は、例えばΔＳＩＩＡである。
【０１４２】
これにより、補聴器調整装置５は、ファーストフィット状態での明瞭度の改善量と微調整状態での明瞭度の改善量との比較を基に、ガイダンス表示できる。例えば、補聴器調整装置５は、ファーストフィット状態での明瞭度の改善の効果が微調整より所定基準以上低下した場合には、注意表示や警告表示を実施できる。
【０１４３】
また、プロセッサ１０は、明瞭度ＳＩＩｉを周波数帯域毎に算出し、補聴器５０の調整を周波数帯域毎に補助してもよい。
【０１４４】
これにより、補聴器調整装置５は、周波数帯域毎に補聴器５０を調整できる。よって、補聴器調整装置５は、例えば、ユーザの聞こえに与える影響が大きい帯域についての明瞭度の低下を重視して、補聴器５０の調整を補助できる。
【０１４５】
また、プロセッサ１０は、明瞭度を周波数帯域毎に算出し、調整操作に応じた第１のゲインを用いることで第１の周波数帯域（例えば３ｋＨｚ帯域）での第１の明瞭度が低下した場合、第１の周波数帯域以外の第２の周波数帯域での第１の明瞭度が上がるように、第２の周波数帯域での調整操作に応じたゲインを制御してもよい。
【０１４６】
これにより、補聴器調整装置５は、調整操作により第１の周波数帯域の明瞭度が下がっても、他の周波数帯域の明瞭度を上げることで、全帯域の明瞭度を維持できる。
【０１４７】
また、第２の周波数帯域は、第１の周波数帯域と隣り合う周波数帯域（例えば２ｋＨｚ，４ｋＨｚの帯域）を含んでもよい。
【０１４８】
これにより、補聴器調整装置５は、隣り合う周波数帯域の明瞭度を上げることで、音声信号の音質の変化を抑制でき、ユーザの聞こえに対する変化を低減できる。
【０１４９】
また、プロセッサ１０は、第２の周波数帯域を、各周波数帯域での第１のゲインを用いた第１の明瞭度と、同じ周波数帯域での最大明瞭度との差分に基づいて決定してもよい。最大明瞭度は、例えば領域Ａｒｅの上限値Ｕ１である。
【０１５０】
これにより、補聴器調整装置５は、特定の周波数帯域での明瞭度の低下を補償する補償量を大きくでき、ユーザの聞こえに対する影響を抑制できる。
【０１５１】
また、明瞭度は、ＳＩＩでもよい。
【０１５２】
これにより、汎用性の高い明瞭度を採用して、補聴器の調整操作による明瞭度の低下を抑制できる。
【０１５３】
（他の実施形態）
以上のように、本開示における技術の例示として、第１の実施形態を説明した。しかし、本開示における技術は、これに限定されず、変更、置き換え、付加、省略などを行った実施形態にも適用できる。
【０１５４】
第１の実施形態では、補聴器調整装置５は、裸耳状態でのＳＩＩ及びファーストフィット状態でのＳＩＩの少なくとも一方と、微調整状態でのＳＩＩと、に基づいて、ガイダンス表示することを示したが、ガイダンス表示となる範囲に対しては、補聴器５０の調整を禁止してもよい。
【０１５５】
つまり、プロセッサ１０は、裸耳状態でのＳＩＩ及びファーストフィット状態でのＳＩＩの少なくとも一方と、微調整状態でのＳＩＩと、に基づいて、補聴器５０のゲインの調整範囲を制限してもよい。これにより、補聴器調整装置５は、裸耳状態又はファーストフィット状態と比較して、所定基準以上に補聴状態を悪化させるような微調整操作が禁止されるので、過度な調整を回避できる。
【０１５６】
第１の実施形態では、警告情報の出力態様として、ディスプレイ２０は、ＵＩ画面２５に表示される音圧レベルのグラフに対し、帯域毎に背景色を変更する色分け表示を行い、警告の文字を吹き出しで表示していたが、これに限られない。例えば、ディスプレイ２０は、音圧レベルが警告対象の領域に入った場合、その領域のグラフの一部を点滅表示してもよい。また、ディスプレイ２０は、警告情報として、注意、警告の２段階で明瞭度の低下を表現したが、３段階以上で明瞭度の低下を表現して、より警告の度合いが分かるようにしてもよい。
【０１５７】
第１の実施形態では、ディスプレイ２０は、調整を行う各周波数帯域ごとにガイダンス表示することを示したが、各周波数帯域のＳＩＩiを足し合わせて、すなわち、（式１）で表されるＳＩＩを用いて、全体に対するガイダンスを表示するようにしてもよい。
【０１５８】
第１の実施形態では、明瞭度の指標として、ＳＩＩを用いる場合を示したが、他の明瞭度の指標（例えば、ＥＳＩＩ（extended  SII）、ＳＴＩ（Speech Transmission Index））を用いてもよい。明瞭度指標ＥＳＩＩの詳細は、参考非特許文献２に示される。また、明瞭度指標ＳＴＩの詳細は、参考非特許文献３に示される。
【０１５９】
（参考非特許文献２）
Rhebergen et al. (2006).  “Extended speech intelligibility index for the prediction of the speech reception threshold in fluctuating noise,” J. Acoust. Soc. Am. 120 (6), pp. 3988-3997
【０１６０】
（参考非特許文献３）
IEC (2011). “IEC 60268-16:2011, Sound system equipment - Part 16: Objective rating of speech intelligibility by speech transmission index”
【０１６１】
第１の実施形態では、補聴器調整装置５は、ディスプレイ２０の表示により警告情報を出力することを記載したが、他の方法で警告情報を出力してもよい。例えば、補聴器調整装置５は、ディスプレイ２０の表示の代わりに、ディスプレイ２０の表示とともに、スピーカ（不図示）による音声出力やバイブレータ（不図示）による振動により警告情報を出力してもよい。
【０１６２】
第１の実施形態では、補聴器５０のゲインを調整することを例示したが、補聴器５０のゲイン以外のパラメータを合わせて調整してもよく、このパラメータが補聴器５０に設定されてもよい。また、補聴器５０が非線形増幅の機能を有する場合には、補聴器調整装置５は、この非線形増幅を調整するパラメータ（例えば、圧縮比（compression ratio）、圧縮閾値（compression threshold）、時定数、等）を調整することにより、ゲインの調整を行ってもよい。
【０１６３】
第１の実施形態では、プロセッサ１０が、特定の周波数帯域のゲインを低下させたときに他の周波数帯域のゲインを上げてもよい旨を説明したが、他の周波数帯域のゲインを上げる際に、ゲイン制御の目安となるガイダンス表示してもよい。
【０１６４】
例えば、補聴器５０がユーザに装着された状態で、ハウリングの元となる、補聴器５０のスピーカ（不図示）からマイク（不図示）にフィードバックされる音声信号を測定する。プロセッサ１０は、この測定値を基に、補聴器５０のゲインをどの程度上げられるかを判定する。つまり、プロセッサ１０は、例えば６０ｄＢの音声信号を８０ｄＢの音声信号とした際にハウリングするか否かを判定できる。よって、ディスプレイ２０は、プロセッサ１０の制御により、ハウリングが発生すると予想される音声レベルの範囲に対して、警告情報を表示してもよい。
【０１６５】
第１の実施形態では、補聴器５０のゲインが下がり、音声レベルが下がる際の明瞭度の補償について説明したが、プロセッサ１０は、補聴器５０のゲインが上がり、音声レベルが上がる際の明瞭度を補償してもよい。
【０１６６】
第１の実施形態では、プロセッサ１０は、物理的にどのように構成してもよい。また、プログラム可能なプロセッサ１０を用いれば、プログラムの変更により処理内容を変更できるので、プロセッサ１０の設計の自由度を高めることができる。プロセッサ１０は、１つの半導体チップで構成してもよいし、物理的に複数の半導体チップで構成してもよい。複数の半導体チップで構成する場合、第１の実施形態の各制御をそれぞれ別の半導体チップで実現してもよい。この場合、それらの複数の半導体チップで１つのプロセッサ１０を構成すると考えることができる。また、プロセッサ１０は、半導体チップと別の機能を有する部材（コンデンサ等）で構成してもよい。また、プロセッサ１０が有する機能とそれ以外の機能とを実現するように、１つの半導体チップを構成してもよい。
【産業上の利用可能性】
【０１６７】
本開示は、補聴器の調整操作による明瞭度の低下を抑制できる補聴器調整装置、補聴器調整方法及び補聴器調整プログラム等に有用である。
【符号の説明】
【０１６８】
５  補聴器調整装置
８  ＰＣ
１０  プロセッサ
１１  ゲイン制御機能
１２  処方式処理機能
１３  明瞭度算出機能
１４  補償調整量算出機能
２０  ディスプレイ
２５  ＵＩ画面
３０  入力デバイス
４０  補聴器設定装置
５０  補聴器
ａｒｅ  領域
ｇｄ１，ｇｄ２．ｇｄ３，ｇｄ４，ｇｄ５，ｇｄ６，ｍ１，ｍ２，ｍ３，ｍｇ，ｏ１，ｏ２，ｏ３，ｇｄｈ，ｓｇ  グラフ
ｓｄｂ  スライダ部
ｓｒ１〜ｓｒ９  スライダ
ｙ１，ｙ２，ｙ３，ｙ４，ｚ１，ｚ２，ｚ３，ｚ４  矢印
【図１】
0006731654.tif 000003
【図２】
0006731654.tif 000004
【図３】
0006731654.tif 000005
【図４】
0006731654.tif 000006
【図５】
0006731654.tif 000007
【図６】
0006731654.tif 000008
【図７】
0006731654.tif 000009
【図８】
0006731654.tif 000010
【図９】
0006731654.tif 000011
【図１０】
0006731654.tif 000012
【図１１】
0006731654.tif 000013
【図１２】
0006731654.tif 000014
【図１３】
0006731654.tif 000015
【図１４】
0006731654.tif 000016